(57)【特許請求の範囲】
【請求項１】
フィーチャーフォンタイプの携帯電話であって、
ロック画面を表示するディスプレイと、
一の物理キーと、を備え、
前記ロック画面にノーティフィケーションを表示している状態で、前記一の物理キーの短押し操作によって前記ノーティフィケーションに対応する画面に遷移させ、
前記ロック画面にノーティフィケーションを表示している状態で、前記一の物理キーの長押し操作によってホーム画面に遷移させる、
ことを特徴とする、携帯電話。
【請求項２】
前記ディスプレイに表示されたノーティフィケーションが選択されている状態で、前記一の物理キーの短押し操作によって前記ノーティフィケーションに対応する画面に遷移させ、
前記ディスプレイに表示されたノーティフィケーションが選択されている状態で、前記一の物理キーの長押し操作によって前記ホーム画面に遷移させる、請求項１に記載の携帯電話。
【請求項３】
前記一の物理キーが押されて所定時間内にリリースが発生すると、前記短押し操作と判定し、
前記一の物理キーが押されて前記所定時間内にリリースが発生しないと、前記長押し操作と判定する、請求項１または２に記載の携帯電話。
【請求項４】
フィーチャーフォンタイプの携帯電話であって、
ロック画面を表示するディスプレイと、
一の物理キーと、を備え、
前記ロック画面にノーティフィケーションを表示している状態で、前記一の物理キーの第１操作によって前記ノーティフィケーションに対応する画面に遷移させ、
前記ロック画面にノーティフィケーションを表示している状態で、前記一の物理キーの前記第１操作と異なる第２操作によってホーム画面に遷移させる、
ことを特徴とする、携帯電話。
【発明の詳細な説明】
【技術分野】
【０００１】
本発明は、携帯電話に関する。より詳細には、本発明は、フィーチャーフォンタイプの携帯電話に関する。
【背景技術】
【０００２】
現在市販されているスマートフォンのような携帯電話は、電源をオンにした時、タッチパネルで構成される画面上にロック画面が表示され、所定の操作以外の操作が無効化される仕様になっているものが多い（例えば特許文献１参照）。このようなロック画面には、例えば通話の不在着信及び電子メール（以下、単にメールと記す）の受信など各種情報の通知（ノーティフィケーション（Notification））が表示可能になっているものが多い。
【０００３】
スマートフォンにおいては、例えばタッチパネル上でノーティフィケーションが表示された領域外でユーザによって行われるフリック操作に応じて、例えばホーム画面などに遷移することができる。また、タッチパネル上にノーティフィケーションが表示された領域においてユーザによって行われるタップ操作に応じて、そのノーティフィケーションに対応する画面に遷移することができる。例えば、通話の不在着信のノーティフィケーションが表示された領域で行われるタップ操作に応じて、不在着信の詳細情報を表示して、不在着信の相手の電話番号に発信する画面に遷移したりすることができる。また、例えば、メールの受信のノーティフィケーションが表示された領域で行われるタップ操作に応じて、メールのアプリケーション（アプリケーションソフトウェア）を起動して、受信したメールの本文を表示させることができる。
【先行技術文献】
【特許文献】
【０００４】
【特許文献１】特開２０１４−６７２４７号公報
【発明の概要】
【発明が解決しようとする課題】
【０００５】
スマートフォンのみならず、フィーチャーフォンのような携帯電話においても、ノーティフィケーションの機能を簡単な操作で実現できれば、フィーチャーフォンタイプの携帯電話の利便性を高めることができる。
【０００６】
本発明の目的は、利便性を高めたフィーチャーフォンタイプの携帯電話を提供することにある。
【課題を解決するための手段】
【０００７】
本発明に係るフィーチャーフォンタイプの携帯電話は、
ロック画面を表示するディスプレイと、
一の物理キーと、を備え、
前記ロック画面にノーティフィケーション表示している状態で、前記一の物理キーの短押し操作によって前記ノーティフィケーションに対応する画面に遷移させ、
前記ロック画面にノーティフィケーションを表示している状態で、前記一の物理キーの長押し操作によってホーム画面に遷移させる、
ことを特徴とする。
【発明の効果】
【０００８】
本発明の実施形態によれば、フィーチャーフォンタイプの携帯電話の利便性を高めることができる。
【図面の簡単な説明】
【０００９】
【図１】本発明の実施形態に係る携帯電話の外観を示す図である。
【図２】本発明の実施形態に係る携帯電話の概略構成を示すブロック図である。
【図３】本発明の実施形態に係る携帯電話の動作を説明するフローチャートである。
【図４】本発明の実施形態に係る電子機器の動作を説明する図である。
【発明を実施するための形態】
【００１０】
以下、本発明の実施形態について、図面を参照して説明する。
【００１１】
以下説明する発明の実施形態においては、フィーチャーフォンタイプの携帯電話の一例として、いわゆる折りたたみ式（フリップ型又はクラムシェル型）のフィーチャーフォンを想定して説明する。しかしながら、本発明の実施形態は、折りたたみ式の携帯電話に限定されるものではなく、キーボードがスライドして現れるスライド式、又はバー型（ストレート式）などのようなフィーチャーフォンとしてもよい。
【００１２】
図１は、本発明の実施形態に係る携帯電話の外観を示す図である。
【００１３】
図１に示すように、本実施形態に係るフィーチャーフォンタイプの携帯電話１は、上部筐体２と下部筐体４とが、ヒンジ部５によって接続された折りたたみ式の携帯電話である。携帯電話１においては、上部筐体２と下部筐体４とが、例えばヒンジ部５を谷として折りたたみ可能に構成される。携帯電話１の外観構成については、従来良く知られた折りたたみ式フィーチャーフォンタイプの携帯電話と同様の構成とすることができるため、より詳細な説明は省略する。
【００１４】
図１に示すように、携帯電話１は、上部筐体２側において、スピーカ６と、ディスプレイ１０とを備えている。また、携帯電話１は、下部筐体４側において、マイク８と、各種の物理キーで構成される物理キー部（キーボード）１２を備えている。スピーカ６は、通話の際にユーザの耳に音声を出力し、マイク８は、通話の際にユーザの口から発される音声を取得する。スピーカ６及びマイク８は、一般的な携帯電話に採用されるものと同様のものとし得るため、より詳細な説明は省略する。物理キー部１２は、携帯電話１を操作するユーザの入力を検出する。
【００１５】
ディスプレイ１０は、液晶ディスプレイ、有機ＥＬディスプレイ、又は無機ＥＬディスプレイ等の表示デバイスである。ディスプレイ１０は、バックライトとして用いる光源又は発光素子を備えてもよい。ディスプレイ１０は、携帯電話１を操作するユーザに、文字、記号、画像、操作用オブジェクト（アイコン）等の画像など、各種の情報を表示する。
【００１６】
物理キー部１２は、一の物理キーであるセンターキー（決定キー）２０、方向キー（カーソルキー）２２、メニューキー３２、メールキー３４、カメラキー３６、ウェブキー３８、通話開始キー４２、クリアキー４４、通話終了／電源キー４６、テンキー４８、及び３つのファンクションキー５１，５２，５３を含む。また、テンキー４８は、０から９までの数字キー及びその他の記号キーを含む。物理キー部１２を構成する各キーは、それぞれ、押しボタン式の自動復帰型スイッチなどで構成することができる。物理キー部１２を構成する各キーの機能は、一般的な携帯電話と同様にし得るため、より詳細な説明は省略する。また、図１においては、物理キー部１２を構成する各キーのキートップに刻印される文字又は記号などは、適宜、簡略化又は省略して示してある。
【００１７】
図２は、本発明の実施形態に係る携帯電話の概略構成を示すブロック図である。
【００１８】
図２に示すように、携帯電話１は、機能的な観点からは、ディスプレイ１０と、物理キー部１２と、コントローラ６０と、を備えている。また、携帯電話１は、図１において説明したように、携帯電話としての機能を実現するため、スピーカ６と、マイク８と、を備えている。また、図２に示すように、携帯電話１は、メモリ７０と、無線通信部８０と、を備えている。さらに、携帯電話１は、例えば写真又は動画の撮影を可能にするためのカメラ９０などを、適宜備えることができる。
【００１９】
コントローラ６０は、携帯電話１の各機能ブロックをはじめとして、携帯電話１の全体を制御及び管理するプロセッサで構成することができる。コントローラ６０は、制御手順を規定したプログラムを実行するＣＰＵ等のプロセッサとすることができる。コントローラ６０が実行するプログラムは、例えばメモリ７０又は外部の記憶媒体等に格納される。
【００２０】
メモリ７０は、半導体メモリ等の記憶装置で構成することができ、各種情報や携帯電話１を動作させるためのプログラム等を記憶するとともに、ワークメモリとしても機能する。メモリ７０は、例えばＲＡＭ及びＲＯＭなどを含んで構成することができる。メモリ７０は、コントローラ６０に特定の機能を実行させる、例えば、アプリケーションに対応する特定のプログラム、並びにメールなどのテキストデータ、及び画像のデータなどを格納する。
【００２１】
無線通信部８０は、アンテナを介して例えば無線通信基地局などと無線通信することにより通信ネットワークに接続し、携帯電話１が通話及びデータ通信などを行うための機能を実現する。無線通信部８０は、通常のスマートフォン又はフィーチャーフォンが備える無線通信機能を実現する要素と同様に構成し得るため、より詳細な説明は省略する。
【００２２】
カメラ９０は、静止画又は動画を撮像することができるデジタルカメラの機能を実現する要素である。カメラ９０が撮像した静止画又は動画のデータは、例えばメモリ７０に保存することができる。カメラ９０は、通常のスマートフォン又はフィーチャーフォンが備えるカメラと同様に構成し得るため、より詳細な説明は省略する。
【００２３】
次に、本実施形態に係る携帯電話１の動作について説明する。
【００２４】
本実施形態に係る携帯電話１は、ノーティフィケーションの機能を簡単な操作で実現することにより、フィーチャーフォンタイプの携帯電話の利便性を高めるものである。ここで、ノーティフィケーションとは、上述したように、例えば通話の不在着信及びメールの受信など各種情報の通知とすることができる。また、本実施形態においては、ノーティフィケーションを表示すべき所定のイベントが発生した時点において、ロック画面にノーティフィケーションを表示することができるものとする。
【００２５】
携帯電話１のようなフィーチャーフォンにおいては、例えば電源投入時または折りたたみ状態から開いた時などに、セキュリティ又は誤操作防止などの観点から、ロック画面を表示し、限られた操作以外の操作を無効化する仕様を採用することが多い。このようなロック画面が表示された状態においては、その本来の目的に鑑みれば、操作が許可される（操作が無効化されていない）物理キーは、可能な限り少なくすることが望ましい。したがって、本実施形態では、限られた物理キーのみの操作により、ロック画面からホーム画面に遷移させること、および該ロック画面からノーティフィケーションに対応する画面に遷移させることの双方を可能にする。
【００２６】
以下、ロック画面にノーティフィケーションが表示される場合における携帯電話１の動作について説明する。
【００２７】
図３は、本発明の実施形態に係る携帯電話の動作に係る処理を説明するフローチャートである。
【００２８】
図３に示す処理が開始すると、携帯電話１のコントローラ６０は、ディスプレイ１０にロック画面を表示するように制御する（ステップＳ１１）。上述したように、ステップＳ１１においてロック画面を表示した状態においては、コントローラ６０は、一の物理キーであるセンターキー２０、及び方向キー２２以外のキーに対する操作を無効化する（ロック状態）。
【００２９】
ステップＳ１１において、ディスプレイ１０に表示したロック画面には、さらにノーティフィケーションが表示されるものとして、以下説明する。このような場合とは、例えば、ディスプレイ１０にロック画面が表示された状態において、ノーティフィケーションを表示するイベントが発生し、ディスプレイ１０にノーティフィケーションを表示する場合を想定することができる。また、例えば、ノーティフィケーションを表示するイベントが発生してロック画面にノーティフィケーションが表示されてから所定の時間が経過する等してスリープ状態に移行し、再びロック画面を表示した時にノーティフィケーションが表示される場合もある。また、ノーティフィケーションが表示される際には、通知音及び／又はバイブレーションなどを発生させることもできる。このため、通知音及び／又はバイブレーションによってノーティフィケーションに気付いたユーザが確認した際に、ロック画面にノーティフィケーションが表示されている場合も考えられる。
【００３０】
このようにして、例えば図４（Ａ）に示すように、ロック画面にノーティフィケーションを表示することができる。図４（Ａ）に示す例においては、ディスプレイ１０にロック画面を表示した際に、不在着信およびメール受信の２つのノーティフィケーションが表示されている。このようなロック画面を表示したロック状態においては、一の物理キーであるセンターキー２０、及び方向キー２２のみに対する操作を有効とし、これら以外のキーに対する操作を、原則、無効化される。しかしながら、例えば図４（Ａ）に示すロック画面において、緊急通報のような特別な操作を行うためのキーとして、例えばメニューキー３２（図１）の操作は無効化しないようにしてもよい。
【００３１】
ステップＳ１１においてロック画面にノーティフィケーションが表示されたら、コントローラ６０は、センターキー２０に対する押下が検出されたか否か判定する（ステップＳ１２）。ステップＳ１２においてセンターキー２０に対する押下が検出されない場合、コントローラ６０は、ステップＳ１１に戻り、ディスプレイ１０にロック画面を表示した状態を維持する。
【００３２】
ステップＳ１２においてセンターキー２０に対する押下が検出されたら、コントローラ６０は、センターキー２０に対する押下が所定時間内にリリースされたか否かを判定する（ステップＳ１３）。本実施形態においては、センターキー２０が押下されてから、この所定時間内にリリースされた場合、当該操作を「短押し」と判定し、この所定時間内にリリースされない場合には、当該操作を「長押し」と判定する。したがって、この「所定時間」とは、長押し操作と短押し操作の判定を区別する時間として好適な、例えば１．５秒などの時間を設定しておく。ステップＳ１３において所定時間内にリリースが検出された場合（短押し）、コントローラ６０は、ステップＳ１１に戻り、ディスプレイ１０にロック画面を表示した状態を維持する。
【００３３】
ステップＳ１３において所定時間内にリリースが検出されない場合（長押し）、コントローラ６０は、ロック状態を解除して（ステップＳ１４）、ディスプレイ１０に表示しているロック画面を、ホーム画面の表示に遷移する（ステップＳ１５）。ステップＳ１５においては、コントローラ６０は、例えば図４（Ｃ）に示すような、ユーザによる操作が可能になるホーム画面を、ディスプレイ１０に表示することができる。
【００３４】
このように、本実施形態に係る携帯電話１は、ロック画面にノーティフィケーションが表示されている状態において、ユーザがセンターキー２０を長押しする操作に応じて、ロック状態を解除することができる。すなわち、図４（Ａ）に示すロック画面において、センターキー２０を長押しする操作に応じて、携帯電話１は、図４（Ｃ）に示すようなホーム画面の表示に遷移することができる。
【００３５】
一方、ステップＳ１３において所定時間内にリリースが検出された場合（短押し）、コントローラ６０は、ディスプレイ１０に表示されたノーティフィケーションに対応する画面の表示に遷移する（ステップＳ１６）。図４（Ａ）に示す例においては、ディスプレイ１０にロック画面を表示した際に、不在着信およびメール受信の２つのノーティフィケーションが表示されている。図４（Ａ）に示すロック画面において、センターキー２０を短押しする操作に応じて、携帯電話１は、図４（Ｂ）に示すようなノーティフィケーションに対応する画面の表示に遷移することができる。
【００３６】
また、図４（Ｂ）に示すように、複数のノーティフィケーションに対応する画面が表示されている場合、それらのいずれかをユーザが選択する操作に応じて、コントローラ６０は、当該選択されたノーティフィケーションに対応する画面に遷移させてもよい。この場合、コントローラ６０は、ディスプレイ１０に表示されたノーティフィケーションが選択されている状態で、一の物理キーであるセンターキー２０の短押し操作によって、当該選択されたノーティフィケーションに対応する画面に遷移させてもよい。
【００３７】
例えば、図４（Ｂ）に示す例においては、不在着信およびメール受信の２つのノーティフィケーションのうち、不在着信のノーティフィケーションが選択表示されている。この状態で、一の物理キーであるセンターキー２０の短押し操作によって、コントローラ６０は、選択された不在着信のノーティフィケーションに対応する画面に遷移させてもよい。この場合、例えば、コントローラ６０は、ディスプレイ１０の表示を、不在着信の相手の電話番号に発信することができる画面に遷移させてもよい。
【００３８】
また、例えば図４（Ｂ）に示す例において、ユーザが方向キー２２を用いて選択項目を変更する操作を検出することにより、コントローラ６０は、ディスプレイ１０に表示されたノーティフィケーションを、適宜、選択表示できるようにしてもよい。例えば、図４（Ｂ）に示す例において、ユーザが方向キー２２の「下」を押下する操作を検出することにより、コントローラ６０は、選択表示の選択項目を、「不在着信」から「メール受信」に変更してもよい。また、コントローラ６０は、ディスプレイ１０に表示されたノーティフィケーションが選択されている状態で、一の物理キーであるセンターキー２０の長押し操作によって、ホーム画面に遷移させてもよい。
【００３９】
さらに、例えば図４（Ａ）に示すロック画面にノーティフィケーションを表示する際に、いずれかのノーティフィケーションが予め選択表示されるようにしてもよい。このようにすれば、図４（Ａ）に示すようなロック画面において、例えば図４（Ｂ）に示す画面を介在させることなく、直接、選択されたノーティフィケーションに対応する画面に遷移することができる。
【００４０】
なお、図３に示す動作において、ステップＳ１２でロック画面にノーティフィケーションを表示してから、ステップＳ１２において例えば３０秒等の比較的長い時間ロック画面が解除されない場合、コントローラ６０は、例えばスリープ状態に移行してもよい。この場合、スリープ状態が解除されたら、コントローラ６０は、再びステップＳ１１においてロック画面を表示し、以降の処理を続行するようにするのが好適である。
【００４１】
このように、本実施形態において、コントローラ６０は、ディスプレイ１０においてロック画面にノーティフィケーションを表示している状態で、一の物理キーであるセンターキー２０の短押し操作によって、ノーティフィケーションに対応する画面に遷移させる。また、本実施形態において、コントローラ６０は、ディスプレイ１０においてロック画面にノーティフィケーションを表示している状態で、一の物理キーであるセンターキー２０の長押し操作によって、ホーム画面に遷移させる。
【００４２】
ここで、コントローラ６０は、一の物理キーであるセンターキー２０が押されて所定時間内にリリースが発生すると、短押し操作と判定するのが好適である。一方、コントローラ６０は、一の物理キーであるセンターキー２０が押されて前記所定時間内にリリースが発生しないと、長押し操作と判定するのが好適である。
【００４３】
また、コントローラ６０は、ディスプレイ１０に表示されたノーティフィケーションが選択されている状態で、一の物理キーであるセンターキー２０の短押し操作によって、当該選択されたノーティフィケーションに対応する画面に遷移させるのが好適である。また、コントローラ６０は、ディスプレイ１０に表示されたノーティフィケーションが選択されている状態で、一の物理キーであるセンターキー２０の長押し操作によって、ホーム画面に遷移させるのが好適である。
【００４４】
このように、本実施形態に係る携帯電話１によれば、フィーチャーフォンタイプの携帯電話であっても、スマートフォンと同様に、ノーティフィケーションの機能を実現することができる。すなわち、本実施形態に係る携帯電話１によれば、ロック画面にノーティフィケーションを表示し、そのノーティフィケーションに対するユーザの操作を検出し、対応する動作を行うことができる。したがって、本実施形態に係る携帯電話１によれば、フィーチャーフォンタイプの携帯電話の利便性を高めることができる。
【００４５】
本発明を諸図面および実施例に基づき説明してきたが、当業者であれば本開示に基づき種々の変形および修正を行うことが容易であることに注意されたい。したがって、これらの変形および修正は本発明の範囲に含まれることに留意されたい。例えば、各機能部、各手段、各ステップなどに含まれる機能などは論理的に矛盾しないように再配置可能であり、複数の機能部およびステップなどを１つに組み合わせたり、或いは分割したりすることが可能である。また、上述した本発明の各実施形態は、それぞれ説明した各実施形態に忠実に実施することに限定されるものではなく、適宜、各特徴を組み合わせたり、一部を省略したりして実施することもできる。
【００４６】
例えば、上述した実施形態において、「長押し」の操作に応じて実行する動作と、「短押し」の操作に応じて実行する動作とを、逆に設定してもよい。本実施形態においては、これら「長押し」および「短押し」の一方を第１操作とし、他方を第２操作として、これらが異なる操作として検出可能であればよい。したがって、これら第１操作および第２操作として、短押し、長押し、シングルクリック、ダブルクリックなど、それぞれに区別可能な各種の操作を対応させてもよい。
【符号の説明】
【００４７】
１  携帯電話
２  上部筐体
４  下部筐体
５  ヒンジ部
６  スピーカ
８  マイク
１０  ディスプレイ
１２  物理キー部
２０  一の物理キー（センターキー／決定キー）
２２  方向キー（カーソルキー）
３２  メニューキー
３４  メールキー
３６  カメラキー
３８  ウェブキー
４２  通話開始キー
４４  クリアキー
４６  通話終了／電源キー
４８  テンキー（ダイヤルキー）
５１，５２，５３  ファンクションキー
６０  コントローラ
７０  メモリ
８０  無線通信部
９０  カメラ
【要約】
【課題】利便性を高めたフィーチャーフォンタイプの携帯電話を提供する。
【解決手段】フィーチャーフォンタイプの携帯電話１は、ロック画面を表示するディスプレイ１０と、一の物理キー２０と、を備え、ロック画面にノーティフィケーションを表示している状態で、一の物理キー２０の短押し操作によってノーティフィケーションに対応する画面に遷移させ、ロック画面にノーティフィケーションを表示している状態で、一の物理キー２０の長押し操作によってホーム画面に遷移させる、ことを特徴とする。
【選択図】図１【図１】
0005968567.tif 000002
【図２】
0005968567.tif 000003
【図３】
0005968567.tif 000004
【図４】
0005968567.tif 000005